(57)【要約】      （修正有）【課題】使用勝手の向上を図ることができる付箋紙を提供する。  【解決手段】付箋紙１は、メモ書き用の空白欄を設けた本体１０と、この本体１０より突出するインデックス用の空白欄を設けたインデックス部２０と、本体１０の裏面の略全体に亘って再剥離性粘着剤３０が塗布され、インデックス部２０の裏面には粘着剤が塗布されていないものである。【選択図】図２
0003143615.tif 000002
【実用新案登録請求の範囲】
【請求項１】
メモ書き用の空白欄を設けた本体と、
この本体より突出するインデックス用の空白欄を設けたインデックス部と、
前記本体の裏面の略全体に亘って再剥離性粘着剤が塗布され、
前記インデックス部の裏面には粘着剤が塗布されていない
ことを特徴とする付箋紙。
【請求項２】
メモ書き用の空白欄を設けた四角形状の本体と、
この本体の一辺の直線部の一部を残し、前記一辺の長さより短い範囲で外方に向かって突出するインデックス用の空白欄を設けたインデックス部と、
前記本体の裏面の略全体に亘って再剥離性粘着剤が塗布され、前記インデックス部の裏面には粘着剤が塗布されていない
ことを特徴とする付箋紙。
【請求項３】
メモ書き用の空白欄を設けた四角形状の本体と、
この本体の一辺の直線部を上下に残し、前記一辺の中途より外方に向かって突出するインデックス用の空白欄を設けたインデックス部と、
前記本体の裏面の略全体に亘って再剥離性粘着剤が塗布され、前記インデックス部の裏面には粘着剤が塗布されていない
ことを特徴とする付箋紙。
【請求項４】
メモ書き用の空白欄を設けた四角形状の本体と、
この本体の一辺の直線部を左右に残し、前記一辺の中途より外方に向かって突出するインデックス用の空白欄を設けたインデックス部と、
前記本体の裏面の略全体に亘って再剥離性粘着剤が塗布され、前記インデックス部の裏面には粘着剤が塗布されていない
ことを特徴とする付箋紙。
【請求項５】
複数枚ある頁の一枚の頁に目印のために貼り付ける付箋紙であって、
メモ書き用の空白欄を設けた四角形状の本体と、
この本体の一辺の直線部の一部を残し、前記一辺の長さより短い範囲で外方に向かって突出するインデックス用の空白欄を設けたインデックス部と、
前記本体の裏面の略全体に亘って再剥離性粘着剤が塗布され、前記インデックス部の裏面には粘着剤が塗布されていないものであり、
前記再剥離性粘着剤を介して前記頁に貼り付けた前記本体の前記インデックス部より残された前記本体の一辺の直線部と前記頁の端部とが平面視略直線状に配置される
ことを特徴とする付箋紙。
【請求項６】
複数枚ある頁の一枚の頁に目印のために貼り付ける付箋紙であって、
メモ書き用の空白欄を設けた四角形状の本体と、
この本体の一辺の直線部を上下に残し、前記一辺の中途より外方に向かって突出するインデックス用の空白欄を設けたインデックス部と、
前記本体の裏面の略全体に亘って再剥離性粘着剤が塗布され、前記インデックス部の裏面には粘着剤が塗布されていないものであり、
前記再剥離性粘着剤を介して前記頁に貼り付けた前記本体の前記インデックス部より上下に残された前記本体の一辺の直線部と前記頁の端部とが平面視略直線状に配置される
ことを特徴とする付箋紙。
【請求項７】
複数枚ある頁の一枚の頁に目印のために貼り付ける付箋紙であって、
メモ書き用の空白欄を設けた四角形状の本体と、
この本体の一辺の直線部を左右に残し、前記一辺の中途より外方に向かって突出するインデックス用の空白欄を設けたインデックス部と、
前記本体の裏面の略全体に亘って再剥離性粘着剤が塗布され、前記インデックス部の裏面には粘着剤が塗布されていないものであり、
前記再剥離性粘着剤を介して前記頁に貼り付けた前記本体の前記インデックス部より左右に残された前記本体の一辺の直線部と前記頁の端部とが平面視略直線状に配置される
ことを特徴とする付箋紙。
【請求項８】
メモ書き用の空白欄を設けると共に、周縁部に少なくとも一つの直線部を有する本体と、
この本体の直線部の延長部位より該延長部位に対して直交する方向で、しかも、外方に突出するインデックス用の空白欄を設けたインデックス部と、
前記本体の裏面の略全体に亘って再剥離性粘着剤が塗布され、
前記インデックス部の裏面には粘着剤が塗布されていない
ことを特徴とする付箋紙。
【請求項９】
複数枚ある頁の一枚の頁に目印のために貼り付ける付箋紙であって、
メモ書き用の空白欄を設けると共に、周縁部に少なくとも一つの直線部を有する本体と、
この本体の直線部の延長部位より該延長部位に対して直交する方向で、しかも、外方に突出するインデックス用の空白欄を設けたインデックス部と、
前記本体の裏面の略全体に亘って再剥離性粘着剤が塗布され、
前記インデックス部の裏面には粘着剤が塗布されていないものであり、
前記再剥離性粘着剤を介して前記頁に貼り付けた前記本体の直線部と前記頁の端部とが平面視略直線状に配置される
ことを特徴とする付箋紙。
【考案の詳細な説明】
【技術分野】
【０００１】
本考案は、付箋紙に係り、特に、使用勝手の向上を図ることができる付箋紙に関する。
【背景技術】
【０００２】
従来、見出しに使用するものとして付箋紙（特許文献１参照）が、また、メモ書き用の空白欄を設けたメモ紙の一端部に粘着剤を塗布したもの（特許文献２参照）が、また、ファイルした書類や本等に見出しとして貼り付けるインデックスシール（特許文献３参照）が、それぞれある。    
【０００３】
しかしながら、上記の付箋紙にあっては、空白欄はあるものの、メモ書き用としては、小さいため、使用しにくいという問題点があった。
また、上記のメモ紙にあっては、手帳、本、書類、ノ−ト等の頁の一辺より突出して見出しとして使用した場合、上記のメモ紙の突出した部位を手で摘み持ち上げると、上記のメモ紙が上記頁から離脱し、使用しづらいという問題点があった。
また、上記のインデックスシールにあっては、貼り付けに失敗した場合、再度、貼り直しがしにくいという問題点があった。
【特許文献１】実開平５−２７７８２号公報
【特許文献２】実用新案登録第３０１６２８４号公報
【特許文献３】実開平７−１７５７９号公報
【考案の開示】
【考案が解決しようとする課題】
【０００４】
本考案は、前記した問題点を除去するようにした付箋紙を提供することを目的としている。
【課題を解決するための手段】
【０００５】
前記した目的を達成するための本考案の付箋紙は、メモ書き用の空白欄を設けた本体と、この本体より突出するインデックス用の空白欄を設けたインデックス部と、前記本体の裏面の略全体に亘って再剥離性粘着剤が塗布され、前記インデックス部の裏面には粘着剤が塗布されていないものである。
【０００６】
また、請求項２記載の付箋紙は、メモ書き用の空白欄を設けた四角形状の本体と、この本体の一辺の直線部の一部を残し、前記一辺の長さより短い範囲で外方に向かって突出するインデックス用の空白欄を設けたインデックス部と、前記本体の裏面の略全体に亘って再剥離性粘着剤が塗布され、前記インデックス部の裏面には粘着剤が塗布されていないものである。
【０００７】
また、請求項３記載の付箋紙は、メモ書き用の空白欄を設けた四角形状の本体と、この本体の一辺の直線部を上下に残し、前記一辺の中途より外方に向かって突出するインデックス用の空白欄を設けたインデックス部と、前記本体の裏面の略全体に亘って再剥離性粘着剤が塗布され、前記インデックス部の裏面には粘着剤が塗布されていないものである。
【０００８】
また、請求項４記載の付箋紙は、メモ書き用の空白欄を設けた四角形状の本体と、この本体の一辺の直線部を左右に残し、前記一辺の中途より外方に向かって突出するインデックス用の空白欄を設けたインデックス部と、前記本体の裏面の略全体に亘って再剥離性粘着剤が塗布され、前記インデックス部の裏面には粘着剤が塗布されていないものである。
【０００９】
また、請求項５記載の付箋紙は、複数枚ある頁の一枚の頁に目印のために貼り付ける付箋紙であって、メモ書き用の空白欄を設けた四角形状の本体と、この本体の一辺の直線部の一部を残し、前記一辺の長さより短い範囲で外方に向かって突出するインデックス用の空白欄を設けたインデックス部と、前記本体の裏面の略全体に亘って再剥離性粘着剤が塗布され、前記インデックス部の裏面には粘着剤が塗布されていないものであり、前記再剥離性粘着剤を介して前記頁に貼り付けた前記本体の前記インデックス部より残された前記本体の一辺の直線部と前記頁の端部とが平面視略直線状に配置されるものである。
【００１０】
また、請求項６記載の付箋紙は、複数枚ある頁の一枚の頁に目印のために貼り付ける付箋紙であって、メモ書き用の空白欄を設けた四角形状の本体と、この本体の一辺の直線部を上下に残し、前記一辺の中途より外方に向かって突出するインデックス用の空白欄を設けたインデックス部と、前記本体の裏面の略全体に亘って再剥離性粘着剤が塗布され、前記インデックス部の裏面には粘着剤が塗布されていないものであり、前記再剥離性粘着剤を介して前記頁に貼り付けた前記本体の前記インデックス部より上下に残された前記本体の一辺の直線部と前記頁の端部とが平面視略直線状に配置されるものである。
【００１１】
また、請求項７記載の付箋紙は、複数枚ある頁の一枚の頁に目印のために貼り付ける付箋紙であって、メモ書き用の空白欄を設けた四角形状の本体と、この本体の一辺の直線部を左右に残し、前記一辺の中途より外方に向かって突出するインデックス用の空白欄を設けたインデックス部と、前記本体の裏面の略全体に亘って再剥離性粘着剤が塗布され、前記インデックス部の裏面には粘着剤が塗布されていないものであり、前記再剥離性粘着剤を介して前記頁に貼り付けた前記本体の前記インデックス部より左右に残された前記本体の一辺の直線部と前記頁の端部とが平面視略直線状に配置されるものである。
【００１２】
また、請求項８記載の付箋紙は、メモ書き用の空白欄を設けると共に、周縁部に少なくとも一つの直線部を有する本体と、この本体の直線部の延長部位より該延長部位に対して直交する方向で、しかも、外方に突出するインデックス用の空白欄を設けたインデックス部と、前記本体の裏面の略全体に亘って再剥離性粘着剤が塗布され、前記インデックス部の裏面には粘着剤が塗布されていないものである。
【００１３】
また、請求項９記載の付箋紙は、複数枚ある頁の一枚の頁に目印のために貼り付ける付箋紙であって、メモ書き用の空白欄を設けると共に、周縁部に少なくとも一つの直線部を有する本体と、この本体の直線部の延長部位より該延長部位に対して直交する方向で、しかも、外方に突出するインデックス用の空白欄を設けたインデックス部と、前記本体の裏面の略全体に亘って再剥離性粘着剤が塗布され、前記インデックス部の裏面には粘着剤が塗布されていないものであり、前記再剥離性粘着剤を介して前記頁に貼り付けた前記本体の直線部と前記頁の端部とが平面視略直線状に配置されるものである。  
【考案の効果】
【００１４】
請求項１記載の付箋紙によれば、メモ書き用の空白欄を設けた本体と、この本体より突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等に貼り、例えば、インデックス部を手で摘んでも、本体の裏面の略全体に亘って再剥離性粘着剤が塗布されているため、付箋紙が手帳、本、書類、ノ−ト等から離脱しにくく、付箋紙と付箋紙に貼り付けられた頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
【００１５】
また、請求項２記載の付箋紙によれば、メモ書き用の空白欄を設けた四角形状の本体と、この本体の一辺の直線部の一部を残し、前記一辺の長さより短い範囲で外方に向かって突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、インデックス部より残された本体の一辺の直線部と頁の端部とが平面視略直線状になるようにして位置合わせし易いと共に、該位置合わせにより貼り付ければ、インデックス部の突出量を容易に均一化することができ、見映えも良好となる。
【００１６】
また、請求項３記載の付箋紙によれば、メモ書き用の空白欄を設けた四角形状の本体と、この本体の一辺の直線部を上下に残し、前記一辺の中途より外方に向かって突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、インデックス部より残された本体の一辺の上下の直線部と頁の端部とが平面視略直線状になるようにして位置合わせし易いと共に、該位置合わせにより貼り付ければ、インデックス部の突出量を容易に「より均一化する」ことができ、見映えも良好となる。
【００１７】
また、請求項４記載の付箋紙によれば、メモ書き用の空白欄を設けた四角形状の本体と、この本体の一辺の直線部を左右に残し、前記一辺の中途より外方に向かって突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、インデックス部より残された本体の一辺の左右の直線部と頁の端部とが平面視略直線状になるようにして位置合わせし易いと共に、該位置合わせにより貼り付ければ、インデックス部の突出量を容易に「より均一化する」ことができ、見映えも良好となる。
【００１８】
また、請求項５記載の付箋紙によれば、メモ書き用の空白欄を設けた四角形状の本体と、この本体の一辺の直線部の一部を残し、前記一辺の長さより短い範囲で外方に向かって突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、再剥離性粘着剤を介して頁に貼り付けた本体のインデックス部より残された前記本体の一辺の直線部と前記頁の端部とが平面視略直線状に配置されるため、インデックス部の突出量を容易に均一化することができ、見映えも良好となる。
【００１９】
また、請求項６記載の付箋紙によれば、メモ書き用の空白欄を設けた四角形状の本体と、この本体の一辺の直線部を上下に残し、前記一辺の中途より外方に向かって突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、再剥離性粘着剤を介して頁に貼り付けた本体のインデックス部より上下に残された前記本体の一辺の直線部と前記頁の端部とが平面視略直線状に配置されるため、インデックス部の突出量を容易に「より均一化する」ことができ、見映えも良好となる。
【００２０】
また、請求項７記載の付箋紙によれば、メモ書き用の空白欄を設けた四角形状の本体と、この本体の一辺の直線部を左右に残し、前記一辺の中途より外方に向かって突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、再剥離性粘着剤を介して頁に貼り付けた本体のインデックス部より左右に残された前記本体の一辺の直線部と前記頁の端部とが平面視略直線状に配置されるため、インデックス部の突出量を容易に「より均一化する」ことができ、見映えも良好となる。
【００２１】
また、請求項８記載の付箋紙によれば、メモ書き用の空白欄を設けると共に、周縁部に少なくとも一つの直線部を有する本体と、この本体の直線部の延長部位より該延長部位に対して直交する方向で、しかも、外方に突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、インデックス部より残された本体の直線部と頁の端部とが平面視略直線状になるようにして位置合わせし易いと共に、該位置合わせにより貼り付ければ、インデックス部の突出量を容易に均一化することができ、見映えも良好となる。
【００２２】
また、請求項９記載の付箋紙によれば、メモ書き用の空白欄を設けると共に、周縁部に少なくとも一つの直線部を有する本体と、この本体の直線部の延長部位より該延長部位に対して直交する方向で、しかも、外方に突出するインデックス用の空白欄を設けたインデックス部とを有して、目印としての機能の他に、メモ書き用の機能を備えているため、使用勝手を向上させ、しかも、付箋紙のインデックス部が手帳、本、書類、ノ−ト等の頁の一辺より突出するように、付箋紙を手帳、本、書類、ノ−ト等の頁に貼り、例えば、インデックス部を手で摘んでも、本体の裏面の略全体に亘って再剥離性粘着剤が塗布されているため、付箋紙が前記頁から離脱しにくく、付箋紙と付箋紙に貼り付けられた前記頁とが一体的となって、付箋紙の手帳、本、書類、ノ−ト等への保持を確実にすると共に、頁をめくり易くなる。勿論、手帳、本、書類、ノ−ト等を押さえて付箋紙を持ち上げれば、付箋紙を手帳、本、書類、ノ−ト等から剥がしたり、再度、付箋紙を手帳、本、書類、ノ−ト等に貼ることもできる。
加えて、再剥離性粘着剤を介して頁に貼り付けた本体の直線部と前記頁の端部とが平面視略直線状に配置されるため、インデックス部の突出量を容易に「より均一化する」ことができ、見映えも良好となる。
【考案を実施するための最良の形態】
【００２３】
本考案の一実施例である付箋紙を図面を参照して説明する。
図１〜図５において、１は付箋紙で、付箋紙１は、メモ書き用の空白欄を設けた本体１０と、この本体１０より突出するインデックス用の空白欄を設けたインデックス２０とを備えている。
図３は、図１の付箋紙１の背面図、つまり、付箋紙１の裏面側から見た図で、本体１０の裏面の略全体に亘って再剥離性粘着剤３０が塗布され、インデックス部２０の裏面には粘着剤が塗布されていない（図２及び図３参照）。
なお、再剥離性粘着剤３０は、周知のもので、例えば、被着体（本実施例では、図４記載の本２）に粘着と剥離を繰り返した場合において、被着体に粘着性微小粒子が残留しないもので、例えば、アクリル系ポリマー（アクリル系ポリマーとしては、例えば、アクリル系エマルジョン型粘着剤、アクリル系溶剤型粘着剤）、ウレタン系粘着剤等である。
【００２４】
従って、上述した付箋紙１によれば、メモ書き用の空白欄を設けた本体１０と、この本体１０より突出するインデックス用の空白欄を設けたインデックス部２０とを有して、目印としての機能の他に、メモ書き用の機能を備えているため、使用勝手を向上させ、しかも、付箋紙１のインデックス部が本２（本２以外には、手帳、書類、ノ−ト等）の頁の一辺より突出するように、付箋紙を本２（本２以外には、手帳、書類、ノ−ト等）に貼り、例えば、インデックス部２０を手で摘んでも、本体１０の裏面の略全体に亘って再剥離性粘着剤３０が塗布されているため、付箋紙１が本２（本２以外には、手帳、書類、ノ−ト等）から離脱しにくく、付箋紙１と付箋紙１に貼り付けられた本２の頁とが一体的となって、付箋紙１の本２（本２以外には、手帳、書類、ノ−ト等）への保持を確実にすると共に、本２の頁をめくり易くなる。勿論、手帳、本、書類、ノ−ト等を押さえて付箋紙１を持ち上げれば、付箋紙１を手帳、本、書類、ノ−ト等から剥がしたり、再度、付箋紙１を手帳、本、書類、ノ−ト等に貼ることもできる。
【００２５】
また、上述の本体１０を四角形ＡＢＣＤとして図示したが、本願考案にあっては、これに限らず、多角形、楕、円、円等でも良いが、望ましくは、四角形（図１乃至図１１参照）、又は、直線部ＥＣを有した本体１０でも良い（図１２参照）。
即ち、四角形の場合の付箋紙１（図１及び図５参照）は、メモ書き用の空白欄を設けた四角形状の本体１０と、この本体１０の一辺ＢＣの直線部の一部ＥＣを残し、一辺ＢＣの長さより短い範囲で外方に向かって突出するインデックス用の空白欄を設けたインデックス部２０と、本体１０の裏面の略全体に亘って再剥離性粘着剤３０が塗布され、インデックス部２０の裏面には粘着剤が塗布されていないものである（図２及び図３参照）。
その結果、インデックス部２０より残された本体１０の一辺の直線部ＥＣと本２（本２以外には、手帳、書類、ノ−ト等）の頁の端部ｂｃとが平面視（図５参照）略直線状になるようにして位置合わせし易いと共に、該位置合わせにより貼り付ければ、インデックス部２０の突出量Ｔ（図１及び図５参照）を容易に均一化することができ、見映えも良好となる。
【００２６】
また、本体１０より突出するインデックス部２０の位置は、図１記載に限らず、例えば、図６記載のように下方部に位置するようにしても良し、又、図７記載のように中途に位置するようにしても良い。
即ち、図７記載の付箋紙１は、メモ書き用の空白欄を設けた四角形状の本体２０と、この本体２０の一辺の直線部（ＢＧ、ＨＣ）を上下に残し、一辺ＢＣの中途より外方に向かって突出するインデックス用の空白欄を設けたインデックス部２０と、本体１０の裏面の略全体に亘って再剥離性粘着剤３０が塗布され、インデックス部２０の裏面には粘着剤が塗布されていないものである（図７及び図８参照）。
特に、インデックス部２０が本体２０の一辺の直線部（ＢＧ、ＨＣ）を上下に残し、一辺ＢＣの中途より外方に向かって突出しているため、再剥離性粘着剤３０を介して本２の頁に貼り付ける際、本体１０のインデックス部２０より上下に残された本体１０の一辺ＢＣの直線部ＢＧ、ＨＣと頁の端部ｂｃとが平面視（図８参照）略直線状になるようにして位置合わせし易いと共に、該位置合わせにより貼り付ければ、インデックス部２０の突出量Ｔを容易に「より均一化する」ことができ、見映えも良好となる。
【００２７】
また、上述した実施例においては、本体２０の直線部ＥＣ（図５参照）、直線部ＢＧ、ＨＣ（図８参照）と頁の端部ｂｃとを平面視略直線状になるようにして位置合わせたが、本願考案にあっては、これに限らず、本体２０の直線部ＥＣと頁の端部ａｂとを平面視略直線状になるようにして位置合わせても良い（図９及び図１０参照）し、また、本体２０の直線部ＢＧ、ＨＣと頁の端部ｂｃとを平面視略直線状になるようにして位置合わせても良い（図１１参照）。
【００２８】
図１１記載の付箋紙１は、メモ書き用の空白欄を設けた四角形状の本体１０と、この本体１０の一辺の直線部ＢＧ、ＨＣを左右に残し、一辺ＢＣの中途より外方に向かって突出するインデックス用の空白欄を設けたインデックス部２０と、本体１０の裏面の略全体に亘って再剥離性粘着剤３０が塗布され、インデックス部２０の裏面には粘着剤が塗布されていないものであり、再剥離性粘着剤３０を介して頁に貼り付けた本体１０のインデックス部２０より左右に残された本体１０の一辺の直線部ＢＧ、ＨＣと頁の端部ａｂとが平面視略直線状に配置されている。
【００２９】
また、上述の本体１０の望ましい形態として、四角形としたが、本願考案にあっては、これに限らず、周縁部に少なくとも一つの直線部ＥＣを有した本体１０でも良く（図１２参照）、上述の実施例と同様な効果を有する。
即ち、図１２記載の付箋紙１は、メモ書き用の空白欄を設けると共に、直線部ＥＣを有する本体１０と、この本体１０の直線部ＥＣの延長部位（図１２の破線）より該延長部位に対して直交する方向で、しかも、外方に突出するインデックス用の空白欄を設けたインデックス部２０と、本体１０の裏面の略全体に亘って再剥離性粘着剤３０が塗布され、インデックス部２０の裏面には粘着剤が塗布されていないものであり、再剥離性粘着剤３０を介して前記頁に貼り付けた本体１０の直線部ＥＣと前記頁の端部ｂｃとが平面視略直線状に配置されるものである。
【図面の簡単な説明】
【００３０】
【図１】図１は、本考案の一実施例の付箋紙の概略的正面図である。
【図２】図２は、図１の２−２線による概略的断面図である。
【図３】図３は、図１の概略的背面図である。
【図４】図４は、図１の付箋紙の使用例の概略的斜視図である。
【図５】図５は、図４の付箋紙を頁に貼り付けた本を図示しない机に載置した状態の概略的平面図である。
【図６】図６は、図１と異なる他の実施例の付箋紙の概略的正面図である。
【図７】図７は、図６と異なる他の実施例の付箋紙の概略的正面図である。
【図８】図８は、図７の付箋紙を頁に貼り付けた本を図示しない机に載置した状態の概略的平面図である。
【図９】図９は、図４の付箋紙の貼り方と異なる他の実施例の概略的斜視図である。
【図１０】図１０は、図９の付箋紙を頁に貼り付けた本を図示しない机に載置した状態の概略的平面図である。
【図１１】図１１は、図１０と異なる他の実施例の概略的平面図である。
【図１２】図１２は、図１１と異なる他の実施例の概略的平面図である。
【符号の説明】
【００３１】
１     …付箋紙
１０   …本体
２０   …インデックス部
３０   …再剥離性粘着剤
【図１】
0003143615.tif 000003
【図２】
0003143615.tif 000004
【図３】
0003143615.tif 000005
【図４】
0003143615.tif 000006
【図５】
0003143615.tif 000007
【図６】
0003143615.tif 000008
【図７】
0003143615.tif 000009
【図８】
0003143615.tif 000010
【図９】
0003143615.tif 000011
【図１０】
0003143615.tif 000012
【図１１】
0003143615.tif 000013
【図１２】
0003143615.tif 000014